(57)【要約】【課題】吸気口から異物が侵入することを効果的に防止すると共に、機械室の温度上昇を抑制することが可能な洗浄機を提供する。【解決手段】食器洗浄機１は、被洗浄物を洗浄する洗浄室３と洗浄室と区画された機械室４とを有する洗浄機本体２と、洗浄室に供給された水を貯留する洗浄タンク１５と、洗浄室に供給する水を貯留するすすぎタンク２５と、機械室の内部に配置され、可燃ガスの燃焼熱を熱源としてすすぎタンクに貯留された水を昇温するガスブースタ６０と、機械室を、ガスブースタを収容する第一区画Ｃ１と、第一区画以外の第二区画Ｃ２とに区画するカバー部材９０と、を備える。カバー部材には、ガスブースタに燃焼用空気を吸気する吸気口９１が形成されている。吸気口は、第一区画と第二区画との間を連通する。【選択図】図６
2020171553.tif 000002
【特許請求の範囲】
【請求項１】
被洗浄物を洗浄する洗浄室と前記洗浄室と区画された機械室とを有する洗浄機本体と、
前記洗浄室に供給された水を貯留する洗浄タンクと、
前記洗浄室に供給する水を貯留するすすぎタンクと、
前記機械室の内部に配置され、可燃ガスの燃焼熱を熱源として前記すすぎタンクに貯留された水を昇温するガスブースタと、
前記機械室を、前記ガスブースタを収容する第一区画と、前記第一区画以外の第二区画とに区画するカバー部材と、を備え、
前記カバー部材には、前記ガスブースタに燃焼用空気を吸気する吸気口が形成されており、前記吸気口は、前記第一区画と前記第二区画との間を連通する、洗浄機。
【請求項２】
前記すすぎタンクから流出した水を再び前記すすぎタンクに戻す循環流路と、
前記循環流路に前記すすぎタンクに貯留された水を循環させる循環ポンプと、を更に備え、
前記ガスブースタは、前記すすぎタンクとは別体として設けられており、前記循環流路に流れる水を加熱する、請求項１記載の洗浄機。
【請求項３】
前記カバー部材は、前記吸気口を覆う取付位置にフィルタを案内すると共に、前記取付位置に前記フィルタを位置決めする取付部を有し、
前記吸気口は、前記吸気口の吸気面が、前記機械室を覆うパネルに直交するように設けられており、
前記パネルには、前記取付部に前記フィルタを案内する案内口が形成されている、請求項１又は２記載の洗浄機。
【請求項４】
前記取付部の前記取付位置に前記フィルタが固定されているか否かを検知する検知部を更に備える、請求項３記載の洗浄機。
【発明の詳細な説明】
【技術分野】
【０００１】
本発明は、洗浄機に関する。
【背景技術】
【０００２】
食器類の洗浄を行なう洗浄室の下方に、すすぎタンク及びすすぎポンプ等が収納された機械室が設けられた洗浄機が知られている。例えば、特許文献１には、機械室の内部にガスブースタが配置された洗浄機が開示されている。
【先行技術文献】
【特許文献】
【０００３】
【特許文献１】特開２０１１−５０７３２号公報
【発明の概要】
【発明が解決しようとする課題】
【０００４】
このようなガスブースタは、外部から燃焼用空気を取り込むための吸気口を設ける必要がある。上記従来の洗浄機では、そのような吸気口は、機械室を覆う外装パネルに設けられ、洗浄機の外部から燃焼用空気を取り込んでいる。しかしながら、洗浄機は水場に設置されるので、吸気口には水等の異物の侵入を防止する対策を施す必要がある。また、機械室の内部は、洗浄機を制御する電装箱及びポンプ等の各種装置が配置されるので、温度の上昇を抑制することが好ましい。
【０００５】
そこで、本発明は、吸気口から異物が侵入することを効果的に防止すると共に、機械室の温度上昇を抑制することが可能な洗浄機を提供することを目的とする。
【課題を解決するための手段】
【０００６】
本発明に係る洗浄機は、被洗浄物を洗浄する洗浄室と洗浄室と区画された機械室とを有する洗浄機本体と、洗浄室に供給された水を貯留する洗浄タンクと、洗浄室に供給する水を貯留するすすぎタンクと、機械室の内部に配置され、可燃ガスの燃焼熱を熱源としてすすぎタンクに貯留された水を昇温するガスブースタと、機械室を、ガスブースタを収容する第一区画と、第一区画以外の第二区画とに区画するカバー部材と、を備え、カバー部材には、ガスブースタに燃焼用空気を吸気する吸気口が形成されており、吸気口は、第一区画と第二区画との間を連通する。
【０００７】
この構成の洗浄機では、ガスブースタに燃焼用空気を吸気する吸気口は、第一区画と第二区画とを連通している。すなわち、吸気口は、洗浄機本体の外部ではなく、機械室の内部に開口している。この構成では、パネル等によって洗浄機本体の外部と区画される機械室の内部に吸気口が開口しているので、吸気口が洗浄機本体の外部に開口している場合と比べて、異物を吸引し難い。更に、機械室の内部の空気がガスブースタに供給され、その排気ガスは洗浄機本体の外部に排出される。すなわち、機械室の外部の空気と比べて相対的に温度が高い機械室の内部の空気が外部に排出される。これらの結果、吸気口から異物が侵入することを効果的に防止すると共に、機械室の温度上昇を抑制することができる。
【０００８】
本発明に係る洗浄機は、すすぎタンクから流出した水を再びすすぎタンクに戻す循環流路と、循環流路にすすぎタンクに貯留された水を循環させる循環ポンプと、を更に備え、ガスブースタは、すすぎタンクとは別体として設けられており、循環流路に流れる水を加熱してもよい。この構成の洗浄機では、ガスブースタがすすぎタンクとは別体として設けられるので、すすぎタンクに空焚きを防止するための保安水域を設ける必要がなくなる。これにより、すすぎタンクの容量をコンパクトにすることができる。また、ガスブースタをすすぎタンクとは別体として設けることによって設置レイアウトの自由度が上がるので、狭小な機械室のスペースを有効に利用することができる。この結果、すすぎタンクに貯留された水を昇温するガスブースタを機械室に内蔵する場合であっても、全体サイズの増大化を抑制できる。
【０００９】
本発明に係る洗浄機では、カバー部材は、吸気口を覆う取付位置にフィルタを案内すると共に、取付位置にフィルタを位置決めする取付部を有し、吸気口は、吸気口の吸気面が、機械室を覆うパネルに直交するように設けられており、パネルには、取付部にフィルタを案内する案内口が形成されていてもよい。この構成では、吸気口が機械室の内部に設けられる構成であっても、フィルタを交換するときに、機械室を覆うパネルを取り外す必要がない。すなわち、パネルに設けられた案内口を介して、フィルタを容易に交換できる。
【００１０】
本発明に係る洗浄機は、取付部の取付位置にフィルタが固定されているか否かを検知する検知部を更に備えてもよい。例えば、検知結果に基づいて洗浄機の動作を制限したり、検知結果を報知したりすることで、フィルタが取り付けられない状態で洗浄機が稼働することを防止できる。この結果、異物の吸引を原因とするガスブースタの故障を防止できる。
【発明の効果】
【００１１】
本発明によれば、吸気口から異物が侵入することを効果的に防止すると共に、機械室の温度上昇を抑制することができる。
【図面の簡単な説明】
【００１２】
【図１】図１は、一実施形態に係る食器洗浄機を前方から見た斜視図である。
【図２】図２は、一実施形態に係る食器洗浄機を後方から見た斜視図である。
【図３】図３は、一実施形態に係る食器洗浄機の概略構成を示す断面図である。
【図４】図４は、ガスブースタの概略構成図である。
【図５】図５は、すすぎタンク、ガスブースタ、すすぎポンプ、循環ポンプ、及び排気ダクトの配置を示した斜視図である。
【図６】図６は、パネルを取り除いた状態で、取付部を示した斜視図である。
【図７】図７は、案内口が形成されたパネルを示した斜視図である。
【図８】図８は、フィルタユニットが挿入された状態を示した斜視図である。
【発明を実施するための形態】
【００１３】
以下、添付図面を参照して、本発明の好適な実施形態について詳細に説明する。なお、図面の説明において同一又は相当要素には同一符号を付し、重複する説明は省略する。以下の説明における方向は、食器洗浄機（洗浄機）１を前方から見たときの方向、すなわち図１で規定する方向（上下方向、前後方向、左右方向）である。
【００１４】
図１及び図２に示されるように、食器洗浄機１は、ステンレス製のパネル５で覆われた洗浄機本体２を有している。洗浄機本体２は、上側部分２Ａと下側部分２Ｂとに仕切られている。洗浄機本体２の背面側におけるコーナ部には、上側部分２Ａと下側部分２Ｂとに渡って上下方向に延びる支柱６が配置され、支柱６，６間には背面パネル５Ａが配置されている。洗浄機本体２の上側部分２Ａには、箱型のドア７によって区画される洗浄室３が形成されている。このドア７は、ステンレス製の一対の支柱６，６により上下動自在に案内されると共に、前方において水平方向に延在するハンドル８Ａによって上下動する。洗浄機本体２の下側部分２Ｂには、背面パネル５Ａと前面パネル５Ｂ（図３参照）と左面パネル５Ｃと右面パネル５Ｄ（図３参照）とによって覆われる機械室４が形成されている。
【００１５】
ハンドル８Ａの両端には左右一対の回動アーム８Ｂ，８Ｂの先端が固定され、回動アーム８Ｂ，８Ｂはドア７の側面７Ａに沿って斜めに配置されている。回動アーム８Ｂ，８Ｂには、ドア７の側面７Ａに沿って配置されたリンク部８Ｃの一端が回動自在に連結され、リンク部８Ｃの他端は、軸ピン８Ｄを介してドア７に連結されており、ハンドル８Ａの回動運動に対してドア７が上下運動可能となっている。洗浄機本体２の底面の四隅には脚部９が取り付けられている。洗浄機本体２の側面には、食器洗浄機１を操作する操作パネル１０が設けられている。
【００１６】
図３に示されるように、洗浄室３内には、ラックレール１１が着脱自在に配置されており、このラックレール１１上に、飲食後の皿や茶碗等の食器（被洗浄物）が並べられた格子状の食器ラックが載置される。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに並べられた食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００１７】
洗浄室３の底部には、機械室４に突出するように洗浄タンク１５が設けられている。洗浄タンク１５は、洗浄室３の下方において洗浄室３に供給された水を貯留する。洗浄タンク１５内には、洗浄水を所定温度に昇温（維持）するための洗浄水ヒータ１５Ａが設置されている。洗浄室３と洗浄タンク１５との間には、フィルタ１８が着脱自在に配置されている。洗浄タンク１５の前面には、洗浄水吸込口を介して洗浄ポンプ２３が接続されている。洗浄ポンプ２３の吐出口には洗浄水吐出管２１が接続されている。洗浄水吐出管２１は、第一洗浄水吐出管２１Ａと第二洗浄水吐出管２１Ｂとに分岐して、第一洗浄水吐出管２１Ａは上側洗浄ノズル１２Ａに接続され、第二洗浄水吐出管２１Ｂは下側洗浄ノズル１２Ｂに接続されている。
【００１８】
機械室４には、すすぎタンク２５と、すすぎ水吸込管２９と、すすぎポンプ２７と、すすぎ水吐出管３１と、第二すすぎ水吸込管６６と、循環ポンプ７１と、循環流路７３と、ガスブースタ６０と、ガスブースタ６０を囲うカバー部材９０と、排気ダクト９５の一部と、洗浄ポンプ２３、すすぎポンプ２７及び循環ポンプ７１に電力を供給する電源７９と、が配置されている。
【００１９】
すすぎタンク２５は、洗浄室３へ初期給湯として利用される水、又はすすぎ工程におけるすすぎとして利用される水を貯留する。図１に示されるように、すすぎタンク２５は、機械室４の左面パネル５Ｃと洗浄タンク１５の側面との間に配置されている。すすぎタンク２５は、例えば内容量が３リットル〜５リットルの比較的小容量のタンクが採用される。
【００２０】
図４に示されるように、すすぎタンク２５は、水が流入する二つの流入部（第一流入部２５ａ及び第二流入部２５ｂ）と、水が流出する二つの流出部（第一流出部２５ｃ及び第二流出部２５ｄ）と、すすぎタンク２５における貯留量が規定量を超えた水を排出するオーバフロー管（図示せず）と、すすぎタンク２５に貯留された水を全て排出するときに用いられる排出管（図示せず）と、が設けられている。第一流入部２５ａには、外部の水源から水が供給される給水管３５が接続されている。第一流出部２５ｃには、すすぎ水吸込管２９を介してすすぎポンプ２７が接続されている。図５に示されるように、すすぎポンプ２７は、循環ポンプ７１の後方かつすすぎタンク２５の右側方に配置されている。
【００２１】
すすぎポンプ２７の吐出口には、図３に示されるように、すすぎ水吐出管３１が接続されている。すすぎ水吐出管３１は、第一すすぎ水吐出管３１Ａと第二すすぎ水吐出管３１Ｂとに分岐して、第一すすぎ水吐出管３１Ａは上側すすぎノズル１３Ａに接続され、第二すすぎ水吐出管３１Ｂは下側すすぎノズル１３Ｂに接続されている。第一すすぎ水吐出管３１Ａは、第一洗浄水吐出管２１Ａ内に配置されている。すなわち、第一洗浄水吐出管２１Ａ及び第一すすぎ水吐出管３１Ａは、二重管構造を成している。
【００２２】
図４に示されるように、すすぎタンク２５には、二つのフロートスイッチ（第一フロートスイッチ２５Ｇ及び第二フロートスイッチ２５Ｈ）とセンサ２５Ｉとが設けられている。第一フロートスイッチ２５Ｇは、すすぎタンク２５における満水位を検知する。後段にて詳述するコントローラ５０は、当該第一フロートスイッチ２５ＧのＯＮ／ＯＦＦに基づいて、給水管３５から供給される水のＯＮ／ＯＦＦを制御する供給バルブ３６を制御する。第二フロートスイッチ２５Ｈは、保安水位（循環ポンプ７１の空運転を防止するための保安水量を確保できる水位）を検知する。コントローラ５０は、第二フロートスイッチ２５ＨのＯＮ／ＯＦＦに基づいて、すすぎポンプ２７及び循環ポンプ７１のＯＮ／ＯＦＦを制御する。センサ２５Ｉは、すすぎタンク２５内のすすぎ水の温度を検知する。
【００２３】
図４及び図５に示されるように、循環流路７３は、すすぎタンク２５から流出した水を再びすすぎタンク２５に戻す流路である。より詳細には、循環流路７３は、第二すすぎ水吸込管６６と、第一接続管７３Ｂと、流路管７３Ａと、第二接続管７３Ｃと、を有している。第二すすぎ水吸込管６６は、すすぎタンク２５と循環ポンプ７１とを接続する。第一接続管７３Ｂは、循環ポンプ７１と流路管７３Ａとを接続する。流路管７３Ａは、後段にて詳述するガスブースタ６０の一部を構成する。第二接続管７３Ｃは、流路管７３Ａとすすぎタンク２５とを接続する。循環ポンプ７１は、循環流路７３にすすぎタンク２５に貯留された水を循環させる。すなわち、循環ポンプ７１は、すすぎタンク２５とガスブースタ６０との間で水を循環させる。循環ポンプ７１は、ガスブースタ６０の後方かつすすぎタンク２５の右側方に配置されている。
【００２４】
ガスブースタ６０は、機械室４の左前方に配置されている。ガスブースタ６０は、ファン６１と、バーナ６２と、熱交換部６３と、流路管７３Ａと、を有している。ファン６１は、ガスブースタ６０を収容するカバー部材９０に形成される吸気口９１から空気を吸気してバーナ６２に燃焼用空気として送り込む。バーナ６２は、外部から電磁バルブを介して供給される可燃ガスに、ファン６１から供給される燃焼用空気を混合させて燃焼させる。すなわち、バーナ６２は、ガスブースタ６０の熱源となる部分である。
【００２５】
熱交換部６３は、バーナ６２から供給される熱と流路管７３Ａを流通する水との間で熱交換が行われる部分である。熱交換部６３は、バーナ６２の上方に配置されている。熱交換部６３に配置される流路管７３Ａは、蛇行状に配置されると共に吸熱フィン（図示せず）が形成されている。すなわち、バーナ６２は、流路管７３Ａを流れる水を加熱する。このように、ガスブースタ６０は、すすぎタンク２５から水を取り込んで、熱交換部６３において昇温させた水をすすぎタンク２５に戻す。
【００２６】
カバー部材９０は、ガスブースタ６０を構成するファン６１、バーナ６２、熱交換部６３、及び流路管７３Ａを収容する。カバー部材９０は、図６に示されるように、開口部９０ａを有する有底筒状に形成されており、その開口部９０ａが前方を向き、かつ、前面パネル５Ｂによって開口部９０ａが塞がれるように配置されている。カバー部材９０は、機械室４を、ガスブースタ６０を収容する第一区画Ｃ１と、第一区画Ｃ１以外の第二区画Ｃ２とに区画する。
【００２７】
カバー部材９０は、吸気口９１と、取付部９７と、を有している。吸気口９１は、ファン６１に燃焼用空気を取り込む開口部分であって、カバー部材９０の右側面９０ｂに設けられている。吸気口９１は、その吸気面が、前面パネル５Ｂに直交するように設けられている。吸気口９１は、第一区画Ｃ１と第二区画Ｃ２との間を連通する。吸気口９１は、機械室４に配置された電装ボックス５０Ａに向かって開口している。吸気口９１には、カバー部材９０の内部、すなわち、ガスブースタ６０が収容される第一区画Ｃ１に、水、油及び埃等が侵入することを防止するフィルタユニット８０が取り付けられる。
【００２８】
吸気口９１に取り付けられるフィルタユニット８０は、フィルタ８１と、フレーム８２と、蓋部８３と、取っ手８４と、を有している。フィルタ８１は、水、油及び埃等が通過することを防止するメッシュ状の部材である。フレーム８２は、フィルタユニット８０の外形を形成すると共に、フィルタ８１を固定する部分である。更に、フレーム８２は、取付部９７の案内部９７Ａによって取付位置まで前後方向に案内される部分でもある。蓋部８３は、図８に示されるように、フィルタユニット８０が取付部９７に取り付けられたときに前面パネル５Ｂと面一となり、案内口８８を覆う部分である。取っ手８４は、フィルタユニット８０を取付部９７から着脱する際に作業者が把持する部分である。
【００２９】
図６に示されるように、取付部９７は、吸気口９１を覆う取付位置に上述したフィルタユニット８０を案内すると共に、取付位置にフィルタユニット８０を位置決めする。取付部９７は、案内部９７Ａと、係合部（取付部）９７Ｂと、検知部９８と、を有している。
【００３０】
案内部９７Ａは、フィルタユニット８０のフレーム８２を前後方向に案内する部分である。案内部９７Ａは、左右方向からフレーム８２を挟むことでフィルタユニット８０を支持した状態で前後方向に案内する。係合部９７Ｂは、取付位置にフィルタユニット８０を位置決めする。具体的には、フィルタユニット８０に形成されている爪（図示せず）が係合部９７Ｂに係合されることによって、取付位置にフィルタユニット８０が位置決めされる。検知部９８は、取付部９７の取付位置にフィルタユニット８０が固定されているか否かを検知する。検知部９８によって検知された検知結果は、コントローラ５０によって取得される。検知部９８の例には、マイクロスイッチが含まれる。
【００３１】
図７に示されるように、機械室４の前面を覆う前面パネル５Ｂには、取付部９７の案内部９７Ａにフィルタユニット８０を案内する案内口８８が形成されている。案内口８８の内周面は、案内部９７Ａの内周面と面一となるように形成されている。
【００３２】
図１及び図２に示されるように、カバー部材９０の天面９０ｃには、排気口９２が形成されている。また、カバー部材９０の上面には、排気口９２と連通する箱状の接続部９４が設けられている。接続部９４は、排気口９２から排出される排気ガスを排気ダクト９５に誘導する。
【００３３】
排気ダクト９５は、互いに連通する、第一ダクト９５Ａと、第二ダクト９５Ｂと、第三ダクト９５Ｃとを有し、この順番で接続されている。第一ダクト９５Ａは、機械室４の左面パネル５Ｃと洗浄タンク１５の側面との間に配置され、接続部９４から背面パネル５Ａの外側の第二ダクト９５Ｂまで前後方向に延在する。第二ダクト９５Ｂは、背面パネル５Ａの外面に固定されており、第一ダクト９５Ａから第三ダクト９５Ｃまで左右方向に延在する。第三ダクト９５Ｃは、背面パネル５Ａの外面に固定されており、第二ダクト９５Ｂから背面パネル５Ａの上端近傍まで上下方向に延在する。ガスブースタ６０で発生した排気ガスは、接続部９４、第一ダクト９５Ａ、第二ダクト９５Ｂ、及び第三ダクト９５Ｃの内部をこの順番で流通し、第三ダクト９５Ｃの上端から外部に排出される。
【００３４】
図１に示されるように、機械室４の右方には、食器洗浄機１の動作全般を制御するコントローラ５０が内蔵された電装ボックス５０Ａが収容されている。例えば、コントローラ５０は、検知部９８によって取付部９７にフィルタユニット８０が取り付けられていないことが検知されると、洗浄動作の開始を制限する。なお、コントローラ５０は、検知部９８によって取付部９７にフィルタユニット８０が取り付けられていないことが検知されると、操作パネル１０にその旨を表示させる。
【００３５】
続いて、本実施形態の食器洗浄機１の作用効果について説明する。上記実施形態の食器洗浄機１では、図６に示されるように、ガスブースタ６０に燃焼用空気を吸気する吸気口９１は、第一区画Ｃ１と第二区画Ｃ２とを連通している。すなわち、吸気口９１は、洗浄機本体２の外部ではなく、機械室４の内部に開口している。この構成では、パネル５によって洗浄機本体２の外部と区画される機械室４内の第一区画Ｃ１と第二区画Ｃ２とを隔てるカバー部材９０の右側面９０ｂに吸気口９１が開口している。
【００３６】
このような構成では、ファン６１が稼働すると、機械室４の外部の空気が、パネル５に形成された通気口５Ｅを介して機械室４の内部の第二区画Ｃ２に流れ込み、吸気口９１から吸気される。第二区画Ｃ２に流れ込んだ空気は、各種装置（電装ボックス５０Ａ、洗浄ポンプ２３、すすぎポンプ２７、及び循環ポンプ７１）等の熱を吸熱する。すなわち、第二区画Ｃ２を流れる空気は、各種装置を冷却する。これにより、各種装置の温度、ひいては機械室４の温度を下げることができる。吸引された空気は、燃焼用空気としてバーナ６２で用いられ、排気ガスとして洗浄機本体２の外部に排出される。また、機械室４の外部から吸気口９１までの空気の経路長が長くなるので、機械室４の外部から水等の異物が浸入したとしても吸気口９１にまで至る可能性を低減することができる。
【００３７】
上記実施形態の食器洗浄機１では、ガスブースタ６０がすすぎタンク２５とは別体として設けられるので、すすぎタンク２５に空焚きを防止するための保安水域を設ける必要がなくなる。これにより、すすぎタンク２５の容量をコンパクトにすることができる。また、ガスブースタ６０をすすぎタンク２５とは別体として設けることによって設置レイアウトの自由度が上がるので、狭小な機械室４のスペースを有効に利用することができる。この結果、すすぎタンク２５に貯留された水を昇温するガスブースタ６０を機械室４に内蔵する場合であっても、全体サイズの増大化を抑制できる。
【００３８】
上記実施形態の食器洗浄機１では、図７に示されるように、機械室４を覆う前面パネル５Ｂには、取付部９７にフィルタユニット８０を案内する案内口８８が形成されている。これにより、吸気口９１が機械室４の内部に設けられる構成であっても、フィルタユニット８０を交換するときに、前面パネル５Ｂを取り外す必要がない。すなわち、前面パネル５Ｂに設けられた案内口８８を介して、フィルタユニット８０を容易に交換できる。
【００３９】
上記実施形態の食器洗浄機１では、取付部９７の取付位置にフィルタユニット８０が固定されているか否かを検知する検知部９８を備え、コントローラ５０は、検知結果に基づいて洗浄動作を制限したり、操作パネル１０に当該検知結果を表示したりする。これにより、フィルタユニット８０が取り付けられない状態で食器洗浄機１が稼働することを防止できる。この結果、異物の吸引を原因とするガスブースタ６０の故障を防止できる。
【００４０】
以上、本発明の実施形態について説明してきたが、本発明は必ずしも上述した実施形態に限定されるものではなく、その要旨を逸脱しない範囲で様々な変更が可能である。
【００４１】
上記実施形態では、すすぎタンク２５に貯留された水を循環流路７３に循環させ、その循環流路７３を流れる水をすすぎタンク２５とは別体に設けられたガスブースタ６０で加熱する構成を例に挙げて説明したがこれに限定されない。例えば、ガスブースタ６０は、すすぎタンク２５に貯留された水を直接加熱する構成としてもよい。
【００４２】
上記実施形態及び変形例では、吸気口９１にフィルタユニット８０を着脱自在とする構成を例に挙げて説明したが、例えば、吸気口９１にフィルタ部材を直接覆う構成としてもよい。また、前面パネル５Ｂからフィルタユニット８０を着脱自在な構成を例に挙げて説明したが、前面パネル５Ｂから直接着脱ができない構成、すなわち、前面パネル５Ｂを取り外してからでないと吸気口９１にフィルタユニット８０を着脱できない構成であってもよい。
【００４３】
上記実施形態及び変形例では、ドア７が上下に移動することで洗浄室３を開放するいわゆるドアタイプの食器洗浄機１を例に挙げて説明したが、例えば、洗浄機本体の前面側にドアが設けられ、回動することで洗浄室を開放するタイプの食器洗浄機や、食器を収容するためのラックを搬送しながら洗浄を行うコンベアタイプの食器洗浄機などにも適用することができる。
【００４４】
本発明は、発明の趣旨を逸脱しない範囲で、上記実施形態、上記変形例及びその他の変形例として記載の内容を適宜組み合わせてもよい。
【符号の説明】
【００４５】
１…食器洗浄機（洗浄機）、２…洗浄機本体、４…機械室、５…パネル、５Ｂ…前面パネル、１０…操作パネル、１５…洗浄タンク、２５…すすぎタンク、５０…コントローラ、５０Ａ…電装ボックス、６０…ガスブースタ、６１…ファン、６２…バーナ、６３…熱交換部、７１…循環ポンプ、７３…循環流路、７３Ａ…流路管、７３Ｂ…第一接続管、７３Ｃ…第二接続管、８０…フィルタユニット、９０…カバー部材、９１…吸気口、９２…排気口、９７…取付部、９８…検知部、Ｃ１…第一区画、Ｃ２…第二区画。
【図１】
2020171553.tif 000003
【図２】
2020171553.tif 000004
【図３】
2020171553.tif 000005
【図４】
2020171553.tif 000006
【図５】
2020171553.tif 000007
【図６】
2020171553.tif 000008
【図７】
2020171553.tif 000009
【図８】
2020171553.tif 000010